【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
複数本の映像信号線と、複数本の走査信号線と、スイッチング素子および画素電極を有し前記画素電極および液晶材料ならびに共通電極により画素容量を形成する画素とを有し、前記映像信号線の延在方向および前記走査信号線の延在方向のそれぞれに複数個ずつ前記画素を並べて構成される表示領域を有する表示パネルと、
前記複数本の映像信号線に映像信号を入力する第１の駆動回路と、
前記複数本の走査信号線に順番に走査信号を入力する第２の駆動回路と、
前記共通電極に入力する共通電圧の電位を制御する共通電圧制御回路とを有する液晶表示装置であって、
前記複数本の映像信号線は、前記走査信号線の延在方向に一列に並んだ複数の画素電極に対して、２つの隣接する画素電極毎に１本ずつ配置されており、
前記複数本の走査信号線は、前記映像信号線の延在方向に並んで隣接する２つの画素電極の間に２本ずつ配置され、かつ、前記走査信号線の延在方向に一列に並んだ複数の画素電極に対して該複数の画素電極を挟むように２本ずつ配置されており、
前記走査信号線の延在方向に一列に並んだ複数の画素は、前記複数の画素の画素電極を挟むように配置された２本の走査信号線のうちの第１の走査信号線にスイッチング素子が接続された画素と、前記２本の走査信号線のうちの第２の走査信号線にスイッチング素子が接続された画素とが、交互に配置されており、
１本の前記映像信号線を挟んで隣接する２つの画素は、各画素のスイッチング素子が前記１本の前記映像信号線に接続されており、かつ、前記２本の走査信号線のうちの前記第１の走査信号線にスイッチング素子が接続された画素と、前記２本の走査信号線のうちの第２の走査信号線にスイッチング素子が接続された画素との位置が、前記映像信号線の延在方向に並んだ前記２つの画素の組毎に反転しており、
前記共通電圧制御回路は、前記第２の駆動回路が前記走査信号を入力する走査信号線が変わる毎に、共通電圧の電位を、第１の電位と、前記第１の電位よりも電位が高い第２の電位とに交互に切り替えて前記共通電極に入力し、
前記第１の駆動回路は、前記共通電極に前記第１の電位の共通電圧が入力されるときには前記第１の電位と同じ電位または前記第１の電位よりも高い電位の映像信号を入力し、前記共通電極に前記第２の電位の共通電圧が入力されるときには前記第２の電位と同じ電位または前記第２の電位よりも低い電位の映像信号を入力することを特徴とする液晶表示装置。
【請求項２】
前記スイッチング素子は、ＴＦＴ（Ｔｈｉｎ  Ｆｉｌｍ  Ｔｒａｎｓｉｓｔｏｒ）であり、前記ＴＦＴのゲート電極は前記走査信号線に接続され、前記ＴＦＴのドレイン電極またはソース電極のいずれか一方は前記映像信号線に接続され、前記ＴＦＴのドレイン電極またはソース電極のうちの前記映像信号線に接続されていないほうは前記画素電極に接続されていることを特徴とする請求項１に記載の液晶表示装置。
【請求項３】
前記表示パネルは、一対の基板を有し、前記画素電極と前記共通電極とは、同じ前記基板の上に形成されており、当該表示パネルは、横電界方式で動作することを特徴とする請求項１に記載の液晶表示装置。
【請求項４】
前記表示パネルは、一対の基板を有し、前記画素電極と前記共通電極とは、異なる前記基板の上に形成されており、当該表示パネルは、縦電界方式で動作することを特徴とする請求項１に記載の液晶表示装置。
【請求項５】
一対の基板と、前記一対の基板のうちの一方の基板に形成された複数本の映像信号線と、複数本の走査信号線と、前記映像信号線と前記走査信号線の交差位置であり、かつ画素領域のそれぞれに設けられたスイッチング素子とを有し、前記画素領域には、それぞれ画素電極と共通電極とが形成された表示パネルと、
前記複数本の映像信号線に映像信号を入力する第１の駆動回路と、
前記複数本の走査信号線に順番に走査信号を入力する第２の駆動回路と、
前記共通電極に入力する共通電圧の電位を制御する共通電圧制御回路とを有する液晶表示装置であって、
前記複数本の映像信号線は、前記走査信号線の延在方向に一列に並んだ複数の画素電極に対して、２つの隣接する画素電極毎に１本ずつ配置されており、
前記複数本の走査信号線は、前記映像信号線の延在方向に並んで隣接する２つの画素電極の間に２本ずつ配置されており、
前記共通電圧制御回路は、前記第２の駆動回路が前記走査信号を入力する走査信号線が変わる毎に、共通電圧の電位を、第１の電位と、前記第１の電位よりも電位が高い第２の電位とに交互に切り替えて前記共通電極に入力し、
前記第１の駆動回路は、前記共通電極に前記第１の電位の共通電圧が入力されるときには前記第１の電位と同じ電位または前記第１の電位よりも高い電位の映像信号を入力し、前記共通電極に前記第２の電位の共通電圧が入力されるときには前記第２の電位と同じ電位または前記第２の電位よりも低い電位の映像信号を入力することを特徴とする液晶表示装置。
【請求項６】
前記スイッチング素子は、ＴＦＴ（Ｔｈｉｎ  Ｆｉｌｍ  Ｔｒａｎｓｉｓｔｏｒ）であり、前記ＴＦＴのゲート電極は前記走査信号線に接続され、前記ＴＦＴのドレイン電極またはソース電極のいずれか一方は前記映像信号線に接続され、前記ＴＦＴのドレイン電極またはソース電極のうちの前記映像信号線に接続されていないほうは前記画素電極に接続されていることを特徴とする請求項５に記載の液晶表示装置。
【請求項７】
前記画素電極と前記共通電極とは、同じ基板の上に形成されており、前記表示パネルは、横電界方式で動作することを特徴とする請求項５に記載の液晶表示装置。
【請求項８】
前記画素電極と前記共通電極とは、異なる基板の上に形成されており、前記表示パネルは、縦電界方式で動作することを特徴とする請求項５に記載の液晶表示装置。
【手続補正２】
【補正対象書類名】明細書
【補正対象項目名】００２１
【補正方法】変更
【補正の内容】
【００２１】
（１）複数本の映像信号線と、複数本の走査信号線と、スイッチング素子および画素電極を有し前記画素電極および液晶材料ならびに共通電極により画素容量を形成する画素とを有し、前記映像信号線の延在方向および前記走査信号線の延在方向のそれぞれに複数個ずつ前記画素を並べて構成される表示領域を有する表示パネルと、前記複数本の映像信号線に映像信号を入力する第１の駆動回路と、前記複数本の走査信号線に順番に走査信号を入力する第２の駆動回路と、前記共通電極に入力する共通電圧の電位を制御する共通電圧制御回路とを有する液晶表示装置であって、前記複数本の映像信号線は、前記走査信号線の延在方向に一列に並んだ複数の画素電極に対して、２つの隣接する画素電極毎に１本ずつ配置されており、前記複数本の走査信号線は、前記映像信号線の延在方向に並んで隣接する２つの画素電極の間に２本ずつ配置され、かつ、前記走査信号線の延在方向に一列に並んだ複数の画素電極に対して該複数の画素電極を挟むように２本ずつ配置されており、前記走査信号線の延在方向に一列に並んだ複数の画素は、前記複数の画素の画素電極を挟むように配置された２本の走査信号線のうちの第１の走査信号線にスイッチング素子が接続された画素と、前記２本の走査信号線のうちの第２の走査信号線にスイッチング素子が接続された画素とが、交互に配置されており、１本の前記映像信号線を挟んで隣接する２つの画素は、各画素のスイッチング素子が前記１本の前記映像信号線に接続されており、かつ、前記２本の走査信号線のうちの前記第１の走査信号線にスイッチング素子が接続された画素と、前記２本の走査信号線のうちの第２の走査信号線にスイッチング素子が接続された画素との位置が、前記映像信号線の延在方向に並んだ前記２つの画素の組毎に反転しており、前記共通電圧制御回路は、前記第２の駆動回路が前記走査信号を入力する走査信号線が変わる毎に、共通電圧の電位を、第１の電位と、前記第１の電位よりも電位が高い第２の電位とに交互に切り替えて前記共通電極に入力し、前記第１の駆動回路は、前記共通電極に前記第１の電位の共通電圧が入力されるときには前記第１の電位と同じ電位または前記第１の電位よりも高い電位の映像信号を入力し、前記共通電極に前記第２の電位の共通電圧が入力されるときには前記第２の電位と同じ電位または前記第２の電位よりも低い電位の映像信号を入力する液晶表示装置。
（２）前記（１）の液晶表示装置において、前記スイッチング素子は、ＴＦＴ（Ｔｈｉｎ  Ｆｉｌｍ  Ｔｒａｎｓｉｓｔｏｒ）であり、前記ＴＦＴのゲート電極は前記走査信号線に接続され、前記ＴＦＴのドレイン電極またはソース電極のいずれか一方は前記映像信号線に接続され、前記ＴＦＴのドレイン電極またはソース電極のうちの前記映像信号線に接続されていないほうは前記画素電極に接続されている液晶表示装置。
（３）前記（１）の液晶表示装置において、前記表示パネルは、一対の基板を有し、前記画素電極と前記共通電極とは、同じ前記基板の上に形成されており、当該表示パネルは、横電界方式で動作する液晶表示装置。
（４）前記（１）の液晶表示装置において、前記表示パネルは、一対の基板を有し、前記画素電極と前記共通電極とは、異なる前記基板の上に形成されており、当該表示パネルは、縦電界方式で動作する液晶表示装置。
【手続補正３】
【補正対象書類名】明細書
【補正対象項目名】００２２
【補正方法】変更
【補正の内容】
【００２２】
（５）一対の基板と、前記一対の基板のうちの一方の基板に形成された複数本の映像信号線と、複数本の走査信号線と、前記映像信号線と前記走査信号線の交差位置であり、かつ画素領域のそれぞれに設けられたスイッチング素子とを有し、前記画素領域には、それぞれ画素電極と共通電極とが形成された表示パネルと、前記複数本の映像信号線に映像信号を入力する第１の駆動回路と、前記複数本の走査信号線に順番に走査信号を入力する第２の駆動回路と、前記共通電極に入力する共通電圧の電位を制御する共通電圧制御回路とを有する液晶表示装置であって、前記複数本の映像信号線は、前記走査信号線の延在方向に一列に並んだ複数の画素電極に対して、２つの隣接する画素電極毎に１本ずつ配置されており、前記複数本の走査信号線は、前記映像信号線の延在方向に並んで隣接する２つの画素電極の間に２本ずつ配置されており、前記共通電圧制御回路は、前記第２の駆動回路が前記走査信号を入力する走査信号線が変わる毎に、共通電圧の電位を、第１の電位と、前記第１の電位よりも電位が高い第２の電位とに交互に切り替えて前記共通電極に入力し、前記第１の駆動回路は、前記共通電極に前記第１の電位の共通電圧が入力されるときには前記第１の電位と同じ電位または前記第１の電位よりも高い電位の映像信号を入力し、前記共通電極に前記第２の電位の共通電圧が入力されるときには前記第２の電位と同じ電位または前記第２の電位よりも低い電位の映像信号を入力する液晶表示装置。
（６）前記（５）の液晶表示装置において、前記スイッチング素子は、ＴＦＴであり、前記ＴＦＴのゲート電極は前記走査信号線に接続され、前記ＴＦＴのドレイン電極またはソース電極のいずれか一方は前記映像信号線に接続され、前記ＴＦＴのドレイン電極またはソース電極のうちの前記映像信号線に接続されていないほうは前記画素電極に接続されている液晶表示装置。
（７）前記（５）の液晶表示装置において、前記画素電極と前記共通電極とは、同じ基板の上に形成されており、前記表示パネルは、横電界方式で動作する液晶表示装置。
（８）前記（５）の液晶表示装置において、前記画素電極と前記共通電極とは、異なる基板の上に形成されており、前記表示パネルは、縦電界方式で動作する液晶表示装置。
【手続補正４】
【補正対象書類名】明細書
【補正対象項目名】００６６
【補正方法】変更
【補正の内容】
【００６６】
保持容量線を有する縦電界駆動方式の場合、ＴＦＴ基板１０１は、たとえば、図６（ａ）および図６（ｂ）に示すように、ガラス基板などの絶縁基板ＳＵＢ１の表面に、複数本の走査信号線ＧＬおよび保持容量線ＳｔｇＬが設けられている。走査信号線ＧＬは、たとえば、アルミなどの導体膜をエッチングして形成し、保持容量線ＳｔｇＬは、たとえば、ＩＴＯなどの光透過率が高い導体膜をエッチングして形成する。また、保持容量線ＳｔｇＬは、たとえば、１つの画素列を挟む隣接した２本の走査信号線の間（たとえば、ＧＬｎとＧＬｎ＋１の間）に帯状に設けられている。また、帯状の各保持容量線ＳｔｇＬは、たとえば、表示領域ＤＡの外側において、バスラインなどで電気的に接続されている。